(57)【要約】【課題】複数の機器から収集されたログを効率よく管理・運用できる機器管理装置、機器管理システム、ログ管理方法、ログ管理プログラム、及びそのプログラムを記録した記録媒体を提供する。【解決手段】機器管理装置１００は、所定のデータ伝送路９０を介して接続される機器２００の状態を監視し、機器管理を行う装置であって、機器２００から各種履歴情報であるログデータ３１を収集する収集手段２１と、収集手段２１により収集したログの種類に応じて決定した保存方法に従って、収集したログデータ３１を記憶装置１０８の所定の記憶領域に記録する記録手段２２と、を有することを特徴とする。【選択図】図３
2010140111.tif 000002
【特許請求の範囲】
【請求項１】
所定のデータ伝送路を介して接続される機器の状態を監視し、機器管理を行う機器管理装置であって、
前記機器から各種履歴情報であるログデータを収集する収集手段と、
前記収集手段により収集したログの種類に応じて決定した保存方法に従って、前記収集したログデータを記憶装置の所定の記憶領域に記録する記録手段と、を有することを特徴とする機器管理装置。
【請求項２】
当該機器管理装置が、
前記収集したログデータを解析し、ログの種類を判別する種類判別手段と、
前記種類判別手段による判別結果に基づき、ログデータの保存方法を決定する保存方法決定手段と、を有し、
前記記録手段は、
前記保存方法決定手段により決定された保存方法に従って、前記収集したログデータを記録することを特徴とする請求項１に記載の機器管理装置。
【請求項３】
前記種類判別手段は、
前記収集したログデータを読み取り、前記ログデータに含まれる簡易情報を解析し、所定の判別基準に基づき、ログの種類を判別することを特徴とする請求項２に記載の機器管理装置。
【請求項４】
当該機器管理装置が、
ログとして出力され記録対象とするデータ項目と、前記記録対象とするデータの保存方法とが関連付けられた第１の制御情報を、ログの種類ごとに保持する第１の制御情報保持手段を有し、
前記保存方法決定手段は、
前記種類判別手段による判別結果に基づき、前記第１の制御情報保持手段により保持される前記第１の制御情報を参照し、
前記記録対象とするデータ項目に基づき、保存方法を決定することを特徴とする請求項２又は３に記載の機器管理装置。
【請求項５】
前記保存方法決定手段は、
前記記録対象とするデータ項目に基づき、
前記記録対象とするデータ項目に対応して前記第１の制御情報に設定される、保存対象とするか否かを示す保存対象決定制御値、保存対象のデータ範囲を示す保存対象範囲決定制御値、及び保存形式を示す保存形式決定制御値の各制御値を特定し、特定された制御値から保存方法を決定することを特徴とする請求項４に記載の機器管理装置。
【請求項６】
当該機器管理装置が、
前記記憶装置の所定の記憶領域に記録されたログデータを削除する削除手段を有し、
前記削除手段は、
前記ログの種類に応じて決定した削除方法に従って、前記記録されたログデータを削除することを特徴とする請求項１ないし５のいずれか一項に記載の機器管理装置。
【請求項７】
当該機器管理装置が、
前記種類判別手段による判別結果に基づき、ログデータの削除方法を決定する削除方法決定手段を有し、
前記削除手段は、
前記削除方法決定手段により決定された削除方法に従って、前記記録されたログデータを削除することを特徴とする請求項６に記載の機器管理装置。
【請求項８】
当該機器管理装置が、
ログとして出力され削除対象とするデータ項目と、前記削除対象とするデータの削除方法とが関連付けられた第２の制御情報を、ログの種類ごとに保持する第２の制御情報保持手段を有し、
前記削除方法決定手段は、
前記種類判別手段による判別結果に基づき、前記第２の制御情報保持手段により保持される前記第２の制御情報を参照し、
前記削除対象とするデータ項目に基づき、削除方法を決定することを特徴とする請求項６又は７に記載の機器管理装置。
【請求項９】
前記削除方法決定手段は、
前記削除対象とするデータ項目に基づき、
前記削除対象とするデータ項目に対応して前記第２の制御情報に設定される、削除対象とするか否かを示す削除対象決定制御値、保存期間を示す保存期間決定制御値、及び削除対象のデータ範囲を示す削除対象範囲決定制御値の各制御値を特定し、特定された制御値から削除方法を決定することを特徴とする請求項８に記載の機器管理装置。
【請求項１０】
当該機器管理装置が、
前記第１の制御情報保持手段が保持する複数の第１の制御情報及び／又は前記第２の制御情報保持手段が保持する複数の第２の制御情報のうち、前記保存方法決定手段及び／又は前記削除方法決定手段により、保存方法及び／又は削除方法を決定するときに参照する第１の制御情報及び／又は第２の制御情報を、他の制御情報に切り換える制御情報切換手段を有し、
前記制御情報切換手段は、
ユーザから所定のインタフェースを介して受け付けた、前記ログデータが記録された所定の記憶領域の消費軽減を指示する設定又は前記消費軽減より情報提供の一覧性を優先する設定に基づき、前記第１の制御情報及び／又は前記第２の制御情報を、他の制御情報に切り換えることを特徴とする請求項２ないし９のいずれか一項に記載の機器管理装置。
【請求項１１】
所定のデータ伝送路を介して接続される機器の状態を機器管理装置により監視し、機器管理を行う機器管理システムであって、
前記機器から各種履歴情報であるログデータを収集する収集手段と、
前記収集手段により収集したログの種類に応じて決定した保存方法に従って、前記収集したログデータを記憶装置の所定の記憶領域に記録する記録手段と、
を有することを特徴とする機器管理システム。
【請求項１２】
当該機器管理システムが、
前記記憶装置の所定の記憶領域に記録されたログデータを削除する削除手段を有し、
前記削除手段は、
前記ログの種類に応じて決定した削除方法に従って、前記記録されたログデータを削除することを特徴とする請求項１１に記載の機器管理システム。
【請求項１３】
所定のデータ伝送路を介して接続される機器の状態を監視し、機器管理を行う機器管理装置におけるログ管理方法であって、
前記機器から各種履歴情報であるログデータを収集する収集手順と、
前記収集手順により収集したログの種類に応じて決定した保存方法に従って、前記収集したログデータを記憶装置の所定の記憶領域に記録する記録手順と、
を有することを特徴とするログ管理方法。
【請求項１４】
さらに、
前記ログの種類に応じて決定した削除方法に従って、前記記憶装置の所定の記憶領域に記録されたログデータを削除する削除手順を有することを特徴とする請求項１３に記載のログ管理方法。
【請求項１５】
所定のデータ伝送路を介して接続される機器の状態を監視し、機器管理を行う機器管理装置におけるログ管理プログラムであって、
コンピュータを、
前記機器から各種履歴情報であるログデータを収集する収集手段と、
前記収集手段により収集したログの種類に応じて決定した保存方法に従って、前記収集したログデータを記憶装置の所定の記憶領域に記録する記録手段として機能させるログ管理プログラム。
【請求項１６】
さらに前記コンピュータを、
前記ログの種類に応じて決定した削除方法に従って、前記記憶装置の所定の記憶領域に記録されたログデータを削除する削除手段として機能させる請求項１５に記載のログ管理プログラム。
【請求項１７】
請求項１５及び／又は請求項１６に記載のプログラムを記録した、コンピュータが読み取り可能な記録媒体。
【発明の詳細な説明】
【技術分野】
【０００１】
本発明は、ネットワークなどのデータ伝送路を介して接続される少なくとも１台以上の機器を管理する機器管理装置、機器管理システムに関し、特に、機器から収集したログを管理する技術に関するものである。
【背景技術】
【０００２】
ネットワークなどの所定のデータ伝送路を介して複合機やプリンタと言った画像処理装置などの状態を機器管理装置により監視するシステムはすでに知られており、ユーザは管理対象の機器（以下、「管理対象機器」と言う。）に自ら出向くことなく、管理対象機器の異常を検知する（知る）ことが可能となっている。
【０００３】
上記機器管理装置は、定期的に管理対象機器から機器情報を取得し（例えば、ポーリング処理により機器情報を取得し）、取得した機器情報から管理対象機器の状態を監視している。
【０００４】
機器管理装置が取得する機器情報の中には、管理対象機器の状態を表す状態情報の他に、管理対象機器で行われたジョブの履歴情報（以下「ジョブログ」と言う）や、管理対象機器が他の機器に対して行ったアクセス及び／又は他の機器から管理対象機器に対して行われたアクセスの履歴情報（以下「アクセスログ」と言う）なども含まれている。
【０００５】
そのため、機器管理装置が、各管理対象機器から収集した機器情報に含まれる各種ログ（ジョブログやアクセスログなど）の管理（以下「ログ管理」と言う）を行うことは重要な機能である。
【０００６】
例えば特許文献１には、大規模な印刷システムにおいて、印刷装置が実行した印刷及び／又はクライアント装置が印刷装置に要求した印刷の複数の印刷ログを併合して管理し、印刷ログの解析処理の付加を軽減することができる情報処理装置が開示されている。
【特許文献１】特開２００５−３８１０６号公報
【発明の開示】
【発明が解決しようとする課題】
【０００７】
しかしながら、従来のログ管理では、収集されるログが大量であることに起因する問題点について十分に考慮されていない。
【０００８】
大規模な機器管理システムでは、機器管理装置が管理する管理対象機器も多いことから、収集されるログも大量となる。
【０００９】
このような場合に考えられる問題点の１つ目は、ログを含む機器情報が記録され管理情報として格納する記憶装置のリソースが圧迫される点である。近年では、記憶装置の大容量化が進み、ある程度のデータ量であれば対応できるが、記憶領域は無限ではないため、記憶リソース（記憶領域）を効率よく利用するような対策を講じなければ、結果的に無駄に消費してしまうこととなる。
【００１０】
また、２つ目は、記憶装置に格納される管理情報が多くなれば、機器管理で必要な情報を読み取る際に、情報検索速度が遅くなる点である。機器管理において、収集したログ全てが必要な訳ではない。そのため、機器管理上の状態解析に必要なログや管理者などの機器管理作業を支援する提供情報として必要なログなど、収集したログのうち、ユーザから求められる機器管理機能に必要なデータのみを保存しておく対策を講じなければ、システム全体の処理性能やユーザの使用感に悪影響を及ぼすこととなる。
【００１１】
本発明は上記従来技術の問題点を鑑み提案されたものであり、その目的とするところは、機器から収集されたログを効率よく管理・運用できる機器管理装置、機器管理システム、ログ管理方法、ログ管理プログラム、及びそのプログラムを記録した記録媒体を提供することにある。
【課題を解決するための手段】
【００１２】
上記目的を達成するため、本発明にあっては、所定のデータ伝送路を介して接続される機器の状態を監視し、機器管理を行う機器管理装置であって、前記機器から各種履歴情報であるログデータを収集する収集手段と、前記収集手段により収集したログの種類に応じて決定した保存方法に従って、前記収集したログデータを記憶装置の所定の記憶領域に記録する記録手段と、を有することを要旨としている。
【００１３】
また、上記目的を達成するため、本発明に係る機器管理装置は、前記収集したログデータを解析し、ログの種類を判別する種類判別手段と、前記種類判別手段による判別結果に基づき、ログデータの保存方法を決定する保存方法決定手段と、を有し、前記記録手段が、前記保存方法決定手段により決定された保存方法に従って、前記収集したログデータを記録する。
【００１４】
また、上記目的を達成するため、本発明に係る機器管理装置は、前記種類判別手段が、前記収集したログデータを読み取り、前記ログデータに含まれる簡易情報を解析し、所定の判別基準に基づき、ログの種類を判別する。
【００１５】
また、上記目的を達成するため、本発明に係る機器管理装置は、ログとして出力され記録対象とするデータ項目と、前記記録対象とするデータの保存方法とが関連付けられた第１の制御情報を、ログの種類ごとに保持する第１の制御情報保持手段を有し、前記保存方法決定手段が、前記種類判別手段による判別結果に基づき、前記第１の制御情報保持手段により保持される前記第１の制御情報を参照し、前記記録対象とするデータ項目に基づき、保存方法を決定する。
【００１６】
また、上記目的を達成するため、本発明に係る機器管理装置は、前記保存方法決定手段が、前記記録対象とするデータ項目に基づき、前記記録対象とするデータ項目に対応して前記第１の制御情報に設定される、保存対象とするか否かを示す保存対象決定制御値、保存対象のデータ範囲を示す保存対象範囲決定制御値、及び保存形式を示す保存形式決定制御値の各制御値を特定し、特定された制御値から保存方法を決定する。
【００１７】
また、上記目的を達成するため、本発明に係る機器管理装置は、前記記憶装置の所定の記憶領域に記録されたログデータを削除する削除手段を有し、前記削除手段が、前記ログの種類に応じて決定した削除方法に従って、前記記録されたログデータを削除する。
【００１８】
また、上記目的を達成するため、本発明に係る機器管理装置は、前記種類判別手段による判別結果に基づき、ログデータの削除方法を決定する削除方法決定手段を有し、前記削除手段が、前記削除方法決定手段により決定された削除方法に従って、前記記録されたログデータを削除する。
【００１９】
また、上記目的を達成するため、本発明に係る機器管理装置は、ログとして出力され削除対象とするデータ項目と、前記削除対象とするデータの削除方法とが関連付けられた第２の制御情報を、ログの種類ごとに保持する第２の制御情報保持手段を有し、前記削除方法決定手段が、前記種類判別手段による判別結果に基づき、前記第２の制御情報保持手段により保持される前記第２の制御情報を参照し、前記削除対象とするデータ項目に基づき、削除方法を決定する。
【００２０】
また、上記目的を達成するため、本発明に係る機器管理装置は、前記削除方法決定手段が、前記削除対象とするデータ項目に基づき、前記削除対象とするデータ項目に対応して前記第２の制御情報に設定される、削除対象とするか否かを示す削除対象決定制御値、保存期間を示す保存期間決定制御値、及び削除対象のデータ範囲を示す削除対象範囲決定制御値の各制御値を特定し、特定された制御値から削除方法を決定する。
【００２１】
また、上記目的を達成するために、本発明に係る機器管理装置は、前記第１の制御情報保持手段が保持する複数の第１の制御情報及び／又は前記第２の制御情報保持手段が保持する複数の第２の制御情報のうち、前記保存方法決定手段及び／又は前記削除方法決定手段により、保存方法及び／又は削除方法を決定するときに参照する第１の制御情報及び／又は第２の制御情報を、他の制御情報に切り換える制御情報切換手段を有し、前記制御情報切換手段が、ユーザから所定のインタフェースを介して受け付けた、前記ログデータが記録された所定の記憶領域の消費軽減を指示する設定又は前記消費軽減より情報提供の一覧性を優先する設定に基づき、前記第１の制御情報及び／又は前記第２の制御情報を、他の制御情報に切り換える。
【００２２】
このような構成によって、本発明に係る機器管理装置は、収集したログの種類や記録対象データに応じて決定した保存方法に従ってデータを記憶装置に記録し、また、記録後のデータについても、記録されたログの種類や削除対象データに応じて決定した削除方法に従ってデータを削除する。
【００２３】
これによって、本発明に係る機器管理装置は、収集したログの種類や記録・削除対象データに応じて記憶装置に保存されるログのデータ量を変化させ、ログの管理・運用を制御することができる。その結果、記憶リソース（記憶領域）を無駄に消費せず、かつ記録後のデータ（管理データ）を有効に利用することができる。つまり、複数の機器から収集されたログを効率よく管理・運用することができる。
【００２４】
上記目的を達成するため、本発明に係る機器管理システムは、所定のデータ伝送路を介して接続される機器の状態を機器管理装置により監視し、機器管理を行う機器管理システムであって、前記機器管理装置が、前記機器から各種履歴情報であるログデータを収集する収集手段と、前記収集手段により収集したログの種類に応じて決定した保存方法に従って、前記収集したログデータを記憶装置の所定の記憶領域に記録する記録手段と、を有することを特徴とする。
【００２５】
また、上記目的を達成するために、本発明に係る機器管理システムは、前記機器管理装置が、前記記憶装置の所定の記憶領域に記録されたログデータを削除する削除手段を有し、
前記削除手段が、前記ログの種類に応じて決定した削除方法に従って、前記記録されたログデータを削除する。
【００２６】
上記目的を達成するため、本発明に係るログ管理方法は、所定のデータ伝送路を介して接続される機器の状態を監視し、機器管理を行う機器管理装置におけるログ管理方法であって、前記機器から各種履歴情報であるログデータを収集する収集手順と、前記収集手順により収集したログの種類に応じて決定した保存方法に従って、前記収集したログデータを記憶装置の所定の記憶領域に記録する記録手順と、を有することを特徴とする。
【００２７】
また、上記目的を達成するために、本発明に係るログ管理方法は、さらに、前記ログの種類に応じて決定した削除方法に従って、前記記憶装置の所定の記憶領域に記録されたログデータを削除する削除手順を有することを特徴とする。
【００２８】
このような手順によって、本発明に係るログ管理方法は、収集したログの種類や記録対象データに応じて決定した保存方法に従ってデータを記憶装置に記録し、また、記録後のデータについても、記録されたログの種類や削除対象データに応じて決定した削除方法に従ってデータを削除すると言う管理動作を実現する。
【００２９】
これによって、本発明に係るログ管理方法は、収集したログの種類や記録・削除対象データに応じて記憶装置に保存されるログのデータ量を変化させ、ログの管理・運用を制御することができる。その結果、記憶リソース（記憶領域）を無駄に消費せず、かつ記録後のデータ（管理データ）を有効に利用することが可能な環境を提供できる。
【発明の効果】
【００３０】
本発明によれば、収集したログの種類や記録・削除対象データに応じて記憶装置に保存されるログのデータ量を変化させることにより、機器から収集されたログを効率よく管理・運用可能な機器管理装置、機器管理システム、ログ管理方法、ログ管理プログラム、及びそのプログラムを記録した記録媒体を提供することができる。
【発明を実施するための最良の形態】
【００３１】
以下、本発明の好適な実施の形態（以下、「実施形態」という。）について、図面を用いて詳細に説明する。
【００３２】
［第１の実施形態］
＜システム構成＞
では、本実施形態に係る機器管理システムの構成について説明する。図１は、本発明の第１の実施形態に係る機器管理システム１の構成例を示す図である。
【００３３】
図１に示すように、機器管理システム１は、ＭＦＰ（Multifunction Peripheral）やＬＰ（Laser Printer）と言った複数の管理対象機器２００と、複数のクライアントＰＣ（Personal Computer）３００（以下、単に「ＰＣ」と言う。）と、機器管理装置１００とが、ネットワークなどのデータ伝送路９０で相互に接続されている。
【００３４】
このようなシステム構成により、機器管理装置１００は、管理対象機器２００から各種ログ（ジョブログやアクセスログなど）を含む機器情報を取得し、機器状態を監視することで機器管理を行う。また、ＰＣ３００に対しては、管理対象機器２００の状態に関する各種情報を提供する。
【００３５】
＜ハードウェア構成＞
次に、上記機器管理システム１において、機器管理を行う機器管理装置１００のハードウェア構成について説明する。図２は、本発明の第１の実施形態に係る機器管理装置１００のハードウェア構成例を示す図である。
【００３６】
図２に示すように、機器管理装置１００は、入力装置１０１と、表示装置１０２と、ドライブ装置１０３と、ＲＡＭ（Random Access Memory）１０４と、ＲＯＭ（Read Only Memory）１０５と、ＣＰＵ１０６と、インタフェース装置１０７と、ＨＤＤ（Hard Disk Drive）１０８とから構成され、それぞれがバスで相互に接続されている。
【００３７】
入力装置１０１は、キーボード及びマウスなどで構成され、機器管理装置１００に各操作信号を入力するのに用いられる。表示装置１０２は、ディスプレイなどで構成され、機器管理装置１００による処理結果（例えば「取得した機器情報に基づき統計結果」）などを表示する。
【００３８】
インタフェース装置１０７は、機器管理装置１００をネットワークなどの所定のデータ伝送路９０に接続するインタフェースである。上記システム構成において説明を行ったように、機器管理装置１００は、インタフェース装置１０７を介して、管理対象機器２００やＰＣ３００などとデータ通信を行う。
【００３９】
ＨＤＤ１０８は、不揮発性の記憶装置である。ＨＤＤ１０８には、各種プログラムやデータが格納されている。例えば、機器管理装置１００全体を制御する情報処理システム（例えば「Ｗｉｎｄｏｗｓ（登録商標）」や「ＵＮＩＸ（登録商標）」などの基本ソフトウェアであるＯＳ（Operating System））を提供するプログラムやデータ、また情報処理システム上において各種機能（例えば「機器管理機能」や「ログ管理機能」）を提供するアプリケーションプログラムやデータなどである。また、ＨＤＤ１０８は、格納している上記プログラムやデータを、所定のファイルシステムやＤＢ（Data Base）により管理している。
【００４０】
なお、上記プログラムやデータは、例えばＣＤ（Compact Disk）などの記録媒体１０３ａによって機器管理装置１００に提供されるか、データ伝送路９０からインタフェース装置１０７を介してダウンロードされる。例えば、記録媒体１０３ａから提供される場合は、記録媒体１０３ａを読み取り可能なドライブ装置１０３を介してＨＤＤ１０８にインストールされる。
【００４１】
ＲＯＭ１０５は、電源を切っても内部データを保持することができる不揮発性の半導体メモリ（記憶装置）である。ＲＯＭ１０５には、機器管理装置１００が起動されるときに実行されるＢＩＯＳ（Basic Input/Output System）や、機器管理装置１００のシステム設定やネットワーク関連の設定などのデータが格納されている。
【００４２】
ＲＡＭ１０４は、上記各種記憶装置から読み出されたプログラムやデータを一時保持する揮発性の半導体メモリ（記憶装置）であり、ＣＰＵ１０６は、このＲＡＭ１０４上に読み出したプログラムを実行することにより、機器管理装置１００の全体制御や機器管理装置１００が搭載する各種機能を動作させる。
【００４３】
このようなハードウェア構成により、機器管理装置１００は、例えば、ＨＤＤ１０８からＲＡＭ１０４上に読み出した機器管理機能及びログ管理機能を実現するためのプログラムをＣＰＵ１０６により実行し、管理対象機器２００の状態監視やログ管理を行ったりすることができる。
【００４４】
＜ログ管理機能＞
ここからは、上記ソフトウェア構成により実現される、管理対象機器２００から収集した各種ログを管理するログ管理機能について詳しく説明する。
【００４５】
本実施形態に係る機器管理装置１００では、収集したログの種類や記録対象データに応じて決定した保存方法に従ってデータを記憶装置（例えば「ＨＤＤ」など）に記録する。また、記録後のデータについても、記録されたログの種類や削除対象データに応じて決定した削除方法に従ってデータを削除する。このようなログ管理機能を有している。
【００４６】
機器管理装置１００は、ジョブログやアクセスログと言った様々な種類のログデータを各管理対象機器２００から収集する。
【００４７】
そこで、本実施形態に係る機器管理装置１００では、収集したログの種類や記録・削除対象データに応じて記憶装置に保存されるログのデータ量を変化させ、ログの管理・運用を制御する。
【００４８】
これによって、記憶リソース（記憶領域）を無駄に消費せず、かつ記録後のデータ（管理データ）を有効に利用することができる。すなわち、複数の管理対象機器２００から収集されたログを効率よく管理・運用することができる。
【００４９】
では、上記ログ管理機能の構成とその動作について説明する。
【００５０】
《機能構成》
図３は、本発明の第１の実施形態に係るログ管理機能の構成例を示す図である。図３に示すように、ログ収集部２１と、ログ記録部２２と、ログ保持部２３と、ログ削除部２４と、制御情報保持部２５と、制御情報切換部２６と、を有している。
【００５１】
ログ収集部２１は、機器管理装置１００で動作するログ管理機能は、各管理対象機器２００から各種ログを収集する。ログ記録部２２は、収集したログデータを記憶装置に記録する。ログ保持部２３は、ログデータが記録された記憶装置の所定の記憶領域である。
【００５２】
また、ログ削除部２４は、記憶装置からログデータを削除する。制御情報保持部２５は、ログデータを記録する際の保存方法や記録されたログデータを削除する際の削除方法を決定するための各制御情報（以下「保存方法決定制御情報」及び「削除方法決定制御情報」と言う）が保持された記憶装置の所定の記憶領域である。制御情報切換部２６は、保存方法・削除方法を決定する際に用いる各制御情報を切り換える。
【００５３】
このように、本実施形態に係るログ管理機能は、上記各機能部が連係動作することにより実現される。
【００５４】
以下に、上記ログ管理機能が有する各機能部について詳しく説明する。
【００５５】
（ログの収集）
ログ収集部２１は、ポーリング処理により各管理対象機器２００から定期的に機器情報を取得し、機器情報に含まれる各種ログを収集する機能部である。このとき収集される各種ログには、例えば図４に示すようなジョブログ３１ｊやアクセスログ３１ａなどが挙げられる。
【００５６】
図４は、本発明の第１の実施形態に係るログデータ３１の例を示す図である。（Ａ）にはジョブログ３１ｊ、（Ｂ）にはアクセスログ３１ａの各データ例が示されている。
【００５７】
ジョブログ３１ｊは、管理対象機器２００が有する各機能によりジョブが実行された際に出力されるログである。例えば管理対象機器２００がＭＦＰの場合には、プリンタ、コピー、及びファクシミリなどによりジョブが実行された際に出力され、主に課金時や利用頻度解析時などに用いられるジョブ実行履歴情報である。
【００５８】
また、アクセスログ３１ａは、管理対象機器２００が備える操作部（非図示）から受け付けた各種操作や、他の外部機器（例えばＰＣ３００）からアクセスされた際に出力されるログである。例えば管理対象機器２００がＷｅｂサーバ機能を有する機器であった場合には、ＰＣ３００からブラウザなどの閲覧ツールにより、所定のデータ伝送路９０を介して管理対象機器２００のＷｅｂサーバ機能に情報提供を要求した際に出力され、主にセキュリティーチェック時に用いられる。
【００５９】
その他にも、管理対象機器２００で動作する各機能を実現するためのアプリケーションソフトウェアや基本ソフトウェア（ＯＳ）、さらに管理対象機器２００が備える各装置（ハードウェア）などの起動履歴や動作状態などが出力されるシステムログがある。
【００６０】
図３に示すように、ログデータ３１は、主に主要部と詳細部とに大別される。
【００６１】
例えばジョブログ３１ｊの場合には、（Ａ）に示すように、「発生日時」、「ジョブタイプ」、「ユーザ情報」、「ログＩＤ」、「機番（シリアルナンバー）」、「入出力種別」などが、主要部の構成情報として含まれている。
【００６２】
「発生日時」は、ログが出力された日時情報である。「ジョブタイプ」は、ジョブの種類を表す情報である。「ユーザ情報」は、ジョブを実行したユーザに関する情報である。「ログＩＤ」は、ログの識別情報である。「機番（シリアルナンバー）」は、管理対象機器２００の識別情報である。「入出力種別」は、実行されたジョブの入出力種別を表す情報である。
【００６３】
また、詳細部の構成情報には、実行されたジョブの入出力に関する情報である「入出力情報」が含まれる。入力情報には、原稿などの「枚数」、出力する「文書名」、及びジョブ実行要求を行ったＰＣ３００に関する情報である「ＰＣ情報」などがあり、出力情報には、出力した「時刻」及び「印刷ページ数」などがある。
【００６４】
アクセスログ３１ａの場合には、（Ｂ）に示すように、「発生日時」、アクセスログの種類を表す「アクセスログタイプ」、「ユーザ情報」、「ログＩＤ」、及び「機番（シリアルナンバー）」などが、主要部の構成情報といて含まれている。
【００６５】
また、詳細部の構成情報には、「文書名」、アクセスを認証・許可した「認証局」、及びアクセス時の操作履歴を表す「操作情報詳細」などがある。
【００６６】
このように、ログデータ３１は、主要部の簡易情報と、詳細部の詳細情報とから構成されている。また、図３に示したデータ例はＸＭＬ（Extensible Markup Language）で記述されたログデータ３１である。主要部タグと詳細部タグにより簡易情報及び詳細情報がそれぞれ定義されており、拡張性に優れ、かつログ内容が解析しやすく取り扱いやすい構成となっている。
【００６７】
このように、機器管理装置１００では、ログ収集部２１により、前述した各種ログを収集する。
【００６８】
（ログの記録）
ログ記録部２２は、ログ収集部２１により収集したログデータ３１をログ保持部２３に記録する機能部である。このとき、収集したログの種類や記録対象データに応じてログ保持部２３への保存方法を決定し、ログデータ３１を記録する。そのため、ログ記録部２２は、ログ種類判別部２２１とログ保存方法決定部２２２とを有している。
【００６９】
ログ種類判別部２２１は、ログの種類を判別する機能部であり、ログデータ３１を解析することでログの種類を判別する。具体的には、ログデータ３１の主要部を読み取り、判別基準である所定のデータが含まれているか否かを判定し、ログの種類を判別する。
【００７０】
例えば、ジョブログ３１ｊの場合には、主要部タグで定義される簡易情報を読み取り、「ジョブタイプ」のデータから各ジョブに対応するログの種類を判別する。また、アクセスログ３１ａの場合には、「アクセスログタイプ」のデータから各アクセス（操作を含む）に対応するログの種類を判別する。
【００７１】
次に、ログ保存方法決定部２２２は、ログ種類判別部２２１により判別されたログの種類（判別結果）と記録対象データとに基づき保存方法を決定する機能部である。具体的には、ログの種類に基づき、制御情報保持部２５が保持するログに出力されたデータごとの保存方法を制御する重み付けが定義された保存方法決定制御情報４１を参照し、記録対象データに基づき、該当する制御値を特定し、特定された制御値に従って、ログデータ３１の保存方法を決定する。
【００７２】
図５は、本発明の第１の実施形態に係る保存方法決定制御情報４１のデータ例を示す図である。（Ａ）にはジョブログ３１ｊに対応する保存方法決定制御情報４１ｊ、（Ｂ）にはアクセスログ３１ａに対応する保存方法決定制御情報４１ａの各データ例が示されている。制御情報保持部２５は、このようなログの種類ごとに保存方法決定制御情報４１を保持している。
【００７３】
保存方法決定制御情報４１には、ログとして出力可能な情報項目ごとに、保存対象とするか否かの制御値（以下「保存対象決定制御値」と言う）、保存対象のデータ範囲（保存対象情報）を表す制御値（以下「保存対象範囲決定制御値」と言う）、保存形式を表す制御値（以下「保存形式決定制御値」と言う）が対応付けられている。
【００７４】
例えば、図５に示すジョブログ３１ｊに対応する保存方法決定制御情報４１ｊの場合には、ファクシミリ以外のプリンタ、コピー、及びスキャンに関する各ジョブログ３１ｊを保存する保存対象決定制御値が設定されている。また、利用頻度の高いプリンタについては主要部及び詳細部の両方を含むログデータ３１全体を保存対象とし、コピーは主要部のみ、スキャンはログデータ３１のうち集計に利用可能なデータ（集計用データ）のみを保存対象とする保存対象範囲決定制御値が設定されている。さらに、プリンタ及びコピーは機器管理情報として利用一覧情報を提供することから、一覧情報を生成しやすいＤＢに保存し、スキャナは情報提供を行わないためファイルとして保存する保存形式決定制御値が設定されている。
【００７５】
アクセスログ３１ａに対応する保存方法決定制御情報４１ａの場合には、全てのアクセスログ３１ａを保存する保存対象決定制御値が設定されている。また、設定変更は変更内容を知る必要があるため、主要部及び詳細部の両方を含むログデータ３１全体を保存対象とし、設定変更以外は主要部のみを保存対象とする保存対象範囲決定制御値が設定されている。さらに、設定変更は機器管理情報として利用一覧情報を提供することから、一覧情報を生成しやすいＤＢに保存し、設定変更以外は情報提供を行わないためファイルとして保存する保存形式決定制御値が設定されている。
【００７６】
このように、保存方法決定制御情報４１には、ログに出力されたデータごとの保存方法が、記憶リソースの消費軽減や充実した情報提供などの機器管理上の目的に応じた各制御値として設定されている（重み付けが定義されている）。
【００７７】
ログ保存方法決定部２２２は、例えばログ種類判別部２２１によりログの種類がプリンタのジョブログ３１ｊであると判別された場合に、制御情報保持部２５が保持するジョブログ３１ｊに対応する保存方法決定制御情報４１ｊを参照する。続いて、記録対象データであるログとして出力可能な情報項目「プリンタ」に対応する制御情報４１ｊを読み取り、設定されている制御値に従って、ログデータ３１の保存対象範囲及び保存形式などの保存方法を決定する。ログ記録部２２は、ログ保存方法決定制御部２２２により記録対象データ「プリンタ」に対応する保存方法が決定された場合、保存方法決定制御情報４１ｊに設定されている保存対象決定制御値が"ＹＥＳ"（保存する設定値）であることを確認する。ログ記録部２２は、確認後、保存対象範囲決定制御値の"全てのデータ"と保存形式決定制御値"ＤＢ"に従って、プリンタジョブの全てのログデータ３１ｊをＤＢに記録する。
【００７８】
同様に、ログの種類が認証のアクセスログ３１ａであると判定された場合に、制御情報保持部２５が保持するアクセスログ３１ａに対応する保存方法決定制御情報４１ａを参照する。続いて、記録対象データである「認証」に対応する制御情報４１ａを読み取り、設定されている制御値に従って、ログデータ３１の保存対象範囲及び保存形式などの保存方法を決定する。ログ記録部２２は、ログ保存方法決定制御部２２２により記録対象データ「認証」に対応する保存方法が決定された場合、保存方法決定制御情報４１ｊに設定されている保存対象決定制御値が"ＹＥＳ"（保存する設定値）であることを確認する。ログ記録部２２は、確認後、保存対象範囲決定制御値の"主要部のみ"と保存形式決定制御値"ファイル"に従って、認証アクセスの主要部のログデータ３１ａをファイルとして記録する。
【００７９】
このように、機器管理装置１００では、ログ記録部２１が有するログ保存方法決定部２２２により、記憶リソースの消費軽減や充実した情報提供などの機器管理上の目的に応じて設定された保存対象決定、保存対象範囲決定、及び保存形式決定の各制御値（重み付け）に従い、記録対象データの保存方法を決定する。その結果、ログ記録部２２が、決定された保存方法に従ってログデータ３１を記録する。
【００８０】
（ログの削除）
ログ削除部２４は、ログ保持部２３に保持されるログデータ３１を削除する機能部である。
【００８１】
ログは、履歴情報であることから、一定の期間保存されると、記憶リソースの消費を考慮して削除される。この場合、単に履歴の古い順に削除が行われる。しかし、この方法では、保存されているログデータ３１の中に、時間経過に伴い、機器管理上、状態解析や情報提供などに必要なくなった情報も含まれることとなる。また、機器管理上、ログの種類によって重要度が異なることから、本来であれば保存期間も異なる。
【００８２】
そこで、ログ削除部２４は、ログ削除方法決定部２４１を有している。ログ削除方法決定部２４１は、前述したログ保存方法決定部２２２と同様に、ログ種類判別部２２１により判別されたログの種類（判別結果）と削除対象データとに基づき削除方法を決定する機能部である。具体的には、ログの種類に基づき、制御情報保持部２５が保持するログに出力され記録されたデータごとの削除方法を制御する重み付けが定義された削除方法決定制御情報４２を参照する。続いて、削除対象データに基づき、該当する制御値を特定し、特定された制御値に従って、ログデータ３１の削除方法を決定する。
【００８３】
図６は、本発明の第１の実施形態に係る削除方法決定制御情報４２のデータ例を示す図である。（Ａ）にはジョブログ３１ｊに対応する削除方法決定制御情報４２ｊ、（Ｂ）にはアクセスログ３１ａに対応する削除方法決定制御情報４２ａの各データ例が示されている。制御情報保持部２５は、このようなログの種類ごとに削除方法決定制御情報４２を、保存方法決定制御情報４１と同様に保持している。なお、具体的なデータ構成については、前述した保存方法決定制御情報４１を参照し、便宜説明を省略する。
【００８４】
削除方法決定制御情報４２には、図６に示すように、ログに出力され記録されたデータごとの削除方法が、記憶リソースの消費軽減や充実した情報提供などの機器管理上の目的に応じた各制御値として設定されている（重み付けが定義されている）。
【００８５】
ログ削除方法決定部２４１は、例えばログ種類判別部２２１によりログの種類がプリンタのジョブログ３１ｊであると判別された場合に、制御情報保持部２５が保持するジョブログ３１ｊに対応する削除方法決定制御情報４２ｊを参照する。続いて、削除対象データであるログとして出力・記録可能な情報項目「プリンタ」に対応する制御情報４２ｊを読み取り、設定されている制御値に従って、ログデータ３１の削除対象範囲の削除方法を決定する。ログ削除部２４は、ログ削除方法決定制御部２４１により削除対象データ「プリンタ」に対応する削除方法が決定された場合、削除方法決定制御情報４２ｊに設定されている削除対象決定制御値が"ＹＥＳ"（削除する設定値）であることを確認する。ログ削除部２４は、確認後、保存期間決定制御値"７日"と削除対象範囲決定制御値の"詳細部のみ"に従って、保存期間が７日経過後であれば、プリンタジョブの詳細部のログデータ３１をＤＢから削除する。
【００８６】
同様に、ログの種類が認証のアクセスログ３１ａであると判定された場合に、制御情報保持部２５が保持するアクセスログ３１ａに対応する削除方法決定制御情報４２ａを参照する。続いて、削除対象データである「認証」に対応する制御情報４１ａを読み取り、設定されている制御値に従って、ログデータ３１の削除対象範囲の削除方法を決定する。ログ削除部２４は、ログ削除方法決定制御部２４１により削除対象データ「認証」に対応する削除方法が決定された場合、削除方法決定制御情報４２ｊに設定されている削除対象決定制御値が"ＹＥＳ"（削除する設定値）であることを確認する。ログ削除部２４は、確認後、保存期間決定制御値"１４日"と削除対象範囲決定制御値の"全てのデータ"に従って、保存期間が１４日経過後であれば、認証アクセスのログデータ３１ａ（主要部）として保存されているファイルを削除する。
【００８７】
このように、機器管理装置１００では、ログ削除部２４が有するログ削除方法決定部２４１により、記憶リソースの消費軽減や充実した情報提供などの機器管理上の目的に応じて設定された削除対象決定、保存期間決定、及び削除対象範囲決定の各制御値（重み付け）に従い、削除対象データの削除方法を決定する。その結果、ログ削除部２４が、決定された削除方法に従ってログデータ３１を所定の記憶領域から削除する。
【００８８】
以上のように、機器管理装置１００は、ログ記録部２２及びログ削除部２４により、収集したログの種類や記録・削除対象データに応じて記憶装置に保存されるログのデータ量を変化させることができる。
【００８９】
（保存方法・削除方法の切換制御設定）
制御情報切換部２６は、記憶リソースの消費軽減や充実した情報提供などの機器管理上の目的に応じて、前述した保存方法・削除方法決定制御情報４１及び４２を、他の制御情報に切り換える機能部である。
【００９０】
前述したように、保存方法・削除方法決定制御情報４１及び４２は、機器管理上の目的に応じた制御値の設定を行うことができる。よって、制御情報保持部２５に、予め機器管理上の目的に応じて設定したおいた複数の制御情報４１及び４２を保持させておき、保存方法・削除方法を決定する際に、目的に応じて適切な制御情報４１及び４２に切り換えて用いてもよい。
【００９１】
そのため、機器管理装置１００では、図７に示すような設定画面Ｗから、各制御設定の切り換えを指示できる。
【００９２】
図７は、本発明の第１の実施形態に係る各種制御設定の切り換えを行う設定画面例を示す図である。図７に示す設定画面Ｗでは、機器管理上、「記憶リソースの消費軽減」を優先する設定と、「充実した情報提供」を優先する設定を行うことができる。例えば、記憶リソースの消費軽減を優先する設定を行った場合には、情報提供時の一覧性などの機能は低下するものの記憶装置を無駄に消費しないように、保存されるログデータ３１のデータ量が軽減されるような制御値が設定されている保存方法・削除方法決定制御情報４１及び４２が用いられる。一方、充実した情報提供を優先する設定を行った場合には、記憶装置の空き容量が減少するものの情報提供時の一覧性などの機能が向上するように、様々なログデータ３１を保存しておく制御値が設定されている保存方法・削除方法決定制御情報４１及び４２が用いられる。
【００９３】
また、図７に示す設定画面Ｗには、切り換え後の保存方法・削除方法決定制御情報４１及び４２の詳細設定を行うことができる詳細設定画面の表示を指示する［詳細設定］ボタンが付加されている。この詳細設定画面により、保存方法・削除方法決定制御情報４１及び４２の設定を行い、制御情報保持部２５が保持する各制御情報４１及び４２の設定内容を変更することができる。
【００９４】
制御情報切換部２６は、上記切り換え設定に基づいて、保存方法・削除方法決定制御情報４１及び４２を、他の制御情報に切り換える。
【００９５】
また、上記設定画面Ｗによる切り換えの設定は、管理者を含むユーザが機器管理や使用用途に応じて保存方法・削除方法を決定するためのデフォルト設定とし、以降、制御情報切換部２６が、機器管理装置１００の性能に応じて動的に切り換えるようにしてもよい。
【００９６】
この場合、機器管理装置１００は、自装置の性能を計測する機能を有し、ログデータ３１の保存状態に伴う性能低下を検出する。例えば、制御情報切換部２６は、ログデータ３１の保存による記憶リソースの消費に伴う性能低下が検出結果された場合、充実した情報提供を優先する設定を、記憶リソースの消費軽減を優先する設定へ動的に変更する。
【００９７】
このように、機器管理装置１００では、制御情報切換部２６により、記憶装置に保存されるログのデータ量を、記憶リソースの消費軽減や充実した情報提供などの機器管理上の目的に応じて柔軟に変化させることができる。
【００９８】
《機能動作》
ここからは、上記に説明を行った各機能部による動作について説明する。ログ管理機能は、上記各機能部が連携動作することにより機能し、機器管理装置１００に搭載（インストール）されるログ管理プログラム（ソフトウェア部品）が、ＣＰＵ１０６により格納先（例えば「ＲＯＭ１０５」など）からＲＡＭ１０４に読み出され、以下の処理が実行されることで実現される。
【００９９】
なお、以下の処理手順の説明では、便宜上、ログ管理機能における「ログ記録」及び「ログ削除」の各処理を分けて説明する。
【０１００】
（ログ記録）
図８は、本発明の第１の実施形態に係るログ管理におけるデータ記録の処理手順例を示すフローチャートである。
【０１０１】
図８に示すように、機器管理装置１００は、ログ収集部２１により、各管理対象機器２００から機器情報に含まれる各種ログを収集する（ステップＳ１０１）。
【０１０２】
機器管理装置１００は、ログ収集部２１により全ての管理対象機器２００からログデータ３１を収集すると、ログ記録部２２が有するログ種類判別部２２１により、収集したログの種類を判別する（ステップＳ１０２）。このとき、ログ種類判別部２２１は、ログデータ３１の主要部を読み取り、主要部に定義された所定の判別基準（「ジョブタイプ」や「アクセスログタイプ」など）に基づいてログの種類を判別する。
【０１０３】
続いて、機器管理装置１００は、ログ記録部２２が有するログ保存方法決定部２２２により、判別されたログの種類に基づき、制御情報保持部２５に保持される保存方法決定制御情報４１を参照する（ステップＳ１０３）。
【０１０４】
ログ保存方法決定部２２２は、参照したログの種類に対応する保存方法決定制御情報４１から、記録対象データに基づき、該当する制御値（保存対象決定、保存対象範囲決定、及び保存形式決定の各制御値）を特定し、特定した制御値に従って保存方法を決定する（ステップＳ１０４）。
【０１０５】
その結果、機器管理装置１００は、ログ記録部２２により、ログ保存方法決定部２２２により決定された保存方法に従って、記憶装置の所定の記憶領域であるログ保持部２３にログデータ３１を記録する（ステップＳ１０５）。
【０１０６】
（ログ削除）
図９は、本発明の第１の実施形態に係るログ管理におけるデータ削除の処理手順例を示すフローチャートである。
【０１０７】
図９に示すように、機器管理装置１００は、ログの削除要求を受け付けると（ステップＳ２０１：ＹＥＳ）、ログ削除部２４が有するログ削除方法決定部２４１により、ログの種類に基づき、制御情報保持部２５に保持される削除方法決定制御情報４２を参照する（ステップＳ２０２）。
【０１０８】
ログ削除方法決定部２４１は、参照したログの種類に対応する削除方法決定制御情報４２から、削除対象データに基づき、該当する制御値（削除対象決定、保存期間決定、及び削除対象範囲決定の各制御値）を特定し、特定した制御値に従って削除方法を決定する（ステップＳ２０３）。
【０１０９】
その結果、機器管理装置１００は、ログ削除部２４により、ログ削除方法決定部２４１により決定された削除方法に従って、記憶装置の所定の記憶領域であるログ保持部２３に保存されるログデータ３１を削除する（ステップＳ２０４）。
【０１１０】
また、保存方法・削除方法を決定する際に参照した上記保存方法・削除方法決定制御情報４１及び４２は、記憶リソースの消費軽減や充実した情報提供などの機器管理上の目的に応じて、複数用意されている。さらに、機器管理装置１００の性能に応じて、これらの制御情報４１及び４２を、他の制御情報に切り換えることが可能である。
【０１１１】
図１０は、本発明の第１の実施形態に係る保存方法・削除方法決定制御情報４１及び４２を動的に切り換える処理手順例を示すフローチャートである。
【０１１２】
図１０に示すように、機器管理装置１００は、自装置の性能を計測し（ステップＳ３０１）、ログデータ３１の保存による記憶リソースの消費に伴う性能低下を検出する（ステップＳ３０２）。
【０１１３】
ステップＳ３０２において、性能低下が検出された場合には（ステップＳ３０２：ＹＥＳ）、制御情報切換部２６により、現在の切り換え設定が、充実した情報提供を優先する設定であった場合に、記憶リソースの消費軽減を優先する設定に変更する（ステップＳ３０３）。
【０１１４】
一方、ステップＳ３０２において、性能低下が検出されなければ（ステップＳ３０２：ＮＯ）、切り換え設定の動的な変更を行わず、ステップＳ３０１の性能計測へと移行する。
【０１１５】
＜まとめ＞
以上のように、本発明の第１の実施形態によれば、本実施形態に係る機器管理装置１００は、収集したログの種類や記録・削除対象データに応じて記憶装置に保存されるログのデータ量を変化させ、ログの管理・運用を制御することができる。
【０１１６】
その結果、機器管理装置１００は、記憶リソース（記憶領域）を無駄に消費せず、かつ記録後のデータ（管理データ）を有効に利用することができる。
【０１１７】
よって、本実施形態に係る機器管理システム１は、複数の機器から収集されたログを効率よく管理・運用可能な環境を提供することができ、システム全体の処理性能の向上につながり、ユーザの使用感を向上させることとなる。
【０１１８】
ここまで、上記実施形態に基づき本発明の説明を行ってきたが、上記実施形態に係る機器管理装置１００が有する「ログ管理機能」は、図を用いて説明を行った各処理手順を、動作環境（プラットフォーム）にあったプログラミング言語でコード化したプログラムとしてＣＰＵ１０６により実行することで実現される。よって、上記プログラムは、コンピュータが読み取り可能な記録媒体１０３ａに格納することができる。
【０１１９】
また、上記プログラムは、フロッピー（登録商標）ディスク、ＣＤ、ＤＶＤ（Digital Versatile Disk）などの記録媒体１０３ａに記憶させることによって、これらの記録媒体１０３ａを読み取り可能なドライブ装置１０３を介して機器管理装置１００にインストールすることができる。また、機器管理装置１００は、インタフェース装置１０７を備えていることから、インターネットなどの電気通信回線を用いて上記プログラムをダウンロードし、インストールすることもできる。
【０１２０】
また、上記実施形態の中で、保存方法と削除方法とを決定する各制御情報４１及び４２を別のデータとして説明を行ったが、この限りでなく、ログの種類により１つのデータとしてもよい。
【０１２１】
また、上記実施形態では、保存方法・削除方法決定制御情報４１及び４２を、機器管理装置１００が備える記憶装置（例えば「ＨＤＤ」など）に保持する構成（制御情報保持部２５を有する構成）について説明を行ったが、この限りでなく、例えば、機器管理装置１００が外部記憶媒体を着脱可能な所定のインタフェース装置（外部記憶Ｉ／Ｆ装置）を備えていれば、半導体メモリ（ＳＤなどのフラッシュメモリ）が保持する制御情報４１及び４２を読み取り、保存方法・削除方法を決定する際に用いることもできる。さらに、機器管理装置１００が備えるインタフェース装置１０７を介して、所定のデータ伝送路９０により接続される外部装置が保持する制御情報４１及び４２を、保存方法・削除方法を決定する際に用いることもできる。
【０１２２】
また、上記実施形態では、収集した各種ログを、機器管理装置１００が備える記憶装置（例えば「ＨＤＤ」など）に保持する構成（ログ保持部２３を有する構成）について説明を行ったが、この限りでなく、上記制御情報４１及び４２と同様に、外部記憶装置や外部機器が記録先であってもよい。
【０１２３】
また、上記実施形態では、保存方法・削除方法決定制御情報４１及び４２を、外部ファイルとして保持する構成について説明を行ったが、この限りでなく、ログ保存方法決定部２２２及びログ削除方法決定部２４１の機能を実現するモジュール（ソフトウェア部品）が有する構成であってもよい。この場合、各制御設定の切り換えは、上記モジュールを切り換えて行う。
【０１２４】
最後に、上記実施形態に挙げた形状や構成に、その他の要素との組み合わせなど、ここで示した要件に、本発明が限定されるものではない。これらの点に関しては、本発明の主旨をそこなわない範囲で変更することが可能であり、その応用形態に応じて適切に定めることができる。
【図面の簡単な説明】
【０１２５】
【図１】本発明の第１の実施形態に係る機器管理システムの構成例を示す図である。
【図２】本発明の第１の実施形態に係る機器管理装置のハードウェア構成例を示す図である。
【図３】本発明の第１の実施形態に係るログ管理機能の構成例を示す図である。
【図４】本発明の第１の実施形態に係るログデータの例を示す図である。
【図５】本発明の第１の実施形態に係る保存方法決定制御情報のデータ例を示す図である。
【図６】本発明の第１の実施形態に係る削除方法決定制御情報のデータ例を示す図である。
【図７】本発明の第１の実施形態に係る各種制御設定の切り換えを行う設定画面例を示す図である。
【図８】本発明の第１の実施形態に係るログ管理におけるデータ記録の処理手順例を示すフローチャートである。
【図９】本発明の第１の実施形態に係るログ管理におけるデータ削除の処理手順例を示すフローチャートである。
【図１０】本発明の第１の実施形態に係る保存方法・削除方法決定制御情報を動的に切り換える処理手順例を示すフローチャートである。
【符号の説明】
【０１２６】
１      機器管理システム
２１    ログ収集部
２２    ログ記録部
２２１  ログ種類判別部
２２２  ログ保存方法決定部
２３    ログ保持部
２４    ログ削除部
２４１  ログ削除方法決定部
２５    制御情報保持部
２６    制御情報切換部
３１    ログデータ（ａ：アクセスログ，ｊ：ジョブログ）
４１    保存方法決定制御情報
４２    削除方法決定制御情報
９０    データ伝送路（ＬＡＮ）
１００  機器管理装置
１０１  入力装置
１０２  表示装置
１０３  ドライブ装置（ａ：記録媒体）
１０４  ＲＡＭ（揮発性の半導体メモリ）
１０５  ＲＯＭ（不揮発性の半導体メモリ）
１０６  ＣＰＵ（中央処理装置）
１０７  インタフェース装置（ＮＩＣ：Network I/F Card）
１０８  ＨＤＤ（不揮発性の記憶装置）
２００  管理対象機器（画像処理装置）
３００  クライアントＰＣ（情報処理装置）
Ｗ      設定画面
【図１】
2010140111.tif 000003
【図２】
2010140111.tif 000004
【図３】
2010140111.tif 000005
【図４】
2010140111.tif 000006
【図５】
2010140111.tif 000007
【図６】
2010140111.tif 000008
【図７】
2010140111.tif 000009
【図８】
2010140111.tif 000010
【図９】
2010140111.tif 000011
【図１０】
2010140111.tif 000012